(57)【要約】【課題】目盛の表示に変化を与えるようにする。【解決手段】指針移動領域２に沿って設けられた目盛３と、目盛３を現示可能な指針４とを備えた車両用計器装置１であって、目盛３を可変に構成するようにしている。【選択図】図１
2007198957.tif 000002
【特許請求の範囲】
【請求項１】
指針移動領域に沿って設けられた目盛と、該目盛を現示可能な指針とを備えた車両用計器装置において、前記目盛を可変に構成したことを特徴とする車両用計器装置。
【発明の詳細な説明】
【技術分野】
【０００１】
この発明は、車両用計器装置に関するものである。
【背景技術】
【０００２】
自動車などの車両には、車室内の前部にインストルメントパネルが設けられており、このインストルメントパネルには、車両用計器装置が設けられている（例えば、特許文献１参照）。
【０００３】
このような車両用計器装置には、指針移動領域に沿って設けられた目盛と、この目盛を現示可能な指針とを備えたものが存在する。
【０００４】
この種の車両用計器装置の目盛は、従来、文字板に印刷形成されている。
【特許文献１】特開２００１−１１６５９５号公報
【発明の開示】
【発明が解決しようとする課題】
【０００５】
しかしながら、上記従来の車両用計器装置では、上記したように、文字板に印刷形成されたものであったため、目盛は、平面的且つ固定的で変化に乏しいという問題があった。
【課題を解決するための手段】
【０００６】
上記課題を解決するために、請求項１に記載された発明では、指針移動領域に沿って設けられた目盛と、該目盛を現示可能な指針とを備えた車両用計器装置において、前記目盛を可変に構成したことを特徴とする車両用計器装置。
【発明の効果】
【０００７】
請求項１の発明によれば、目盛を可変に構成することにより、目盛の表示に変化を与えることができ、この目盛の表示の変化を利用して様々な情報を発信することも可能となる。
【発明を実施するための最良の形態】
【０００８】
目盛の表示に変化を与えるという目的を、目盛を可変に構成する、という手段で実現した。
【実施例】
【０００９】
以下、本発明を具体化した実施例について、図示例と共に説明する。
【００１０】
図１〜図５は、この発明の実施例を示すものである。
【００１１】
まず、構成を説明すると、自動車などの車両には、車室内の前部にインストルメントパネルが設けられており、このインストルメントパネルには、例えば、図１に示すような車両用計器装置１が設けられる。
【００１２】
このような車両用計器装置１は、指針移動領域２に沿って設けられた複数の目盛３と、これらの目盛３を現示可能な指針４とを備えている。なお、車両用計器装置１には、例えば、車速度計や回転計などがあり、これらを単品で設けたものや、複数組合せて設けたものなど、各種のものが存在する。例えば、図１では、回転計の単品とされている。また、指針移動領域２は、ほぼ円形状の指針回動領域とされるのが一般的であるが、直線的なものも存在している。目盛３は、指針移動領域２に所要の間隔を有して複数配置される。目盛３の近傍には、目盛３と対応するように数値表示部５が設けられる。なお、目盛３には、数値表示部５と対応するものの他に、隣接する数値表示部５間に位置する中間目盛６なども存在している。また、指針４には、実際に針を動かす実指針と、針のないもの（レーザー指針や映像指針）とが存在する。
【００１３】
上記車両用計器装置１の内部構造は、図２に示すように、指針移動領域２を構成する文字板１１と、この文字板１１に設けられた軸孔１２の位置を中心として回動可能な指針４（実指針）とを備えている。ここで、文字板１１は、正面視ほぼ円形状とされ、指針移動領域２は指針回動領域として構成されている。軸孔１２は、ほぼ円形状の文字板１１の中心に形成されている。
【００１４】
そして、文字板１１の表面側の縁部には、全周を囲う周壁１３が手前側（車両後方側）へ向けてほぼ面直に立設されている。周壁１３の内周面は、手前側へ向けて縮径する傾斜面（円錐面）とされている。周壁１３の外周面は、均一径の円筒面とされている。文字板１１は、その裏面側をスペーサ１４を介して回路基板１５に支持されており、回路基板１５には、指針軸１６を有するムーブメント１７が取付けられている。ムーブメント１７には、交叉コイル式のものやステッピングモータなどが用いられる。指針軸１６の先端は、上記軸孔１２へほぼ面直に通されており、軸孔１２から突出された指針軸１６の先端に指針キャップ１８を介して上記指針４が文字板１１の半径方向へ向けて取付けられている。上記指針４は、文字板１１とほぼ平行な状態を保持して回動される。
【００１５】
上記した回路基板１５や文字板１１などは、円筒状の計器本体１９の内部に収容される。ここで、計器本体１９は上記周壁１３とほぼ同心状に配設され、これらの間には、所要の間隙２０が形成されている。
【００１６】
上記計器本体１９は、更にケース２２の内部に収容される。このケース２２は、ほぼ円筒状のケース本体２３と、裏面板２４とを備え、その正面（手前面）には、文字板１１を透視し得るようにした透明カバー２５が取付けられている。この透明カバー２５は、ケース本体２３の手前側の縁部に形成された内フランジ２６にネジ２７を用いて固定されている。また、ケース本体２３は、上記計器本体１９とほぼ同心状に配設される。
【００１７】
そして、この内フランジ２６と上記周壁１３との間には、内部が見えないようにするためのリング状の立壁２８（目隠部材）が設けられている。この立壁２８は、例えば、金属メッキなどを施すことにより、指針移動領域２の輪郭を強調する加飾部材などとして利用される。
【００１８】
以上のような基本的構成に対し、この実施例のものでは、目盛３を可変に構成する。なお、中間目盛６については、目盛３と同様に可変としても、従来通り固定としても良い。この場合には、中間目盛６は可変としている。
【００１９】
例えば、目盛３は、正面からの視認長さを変更可能に構成する。この目盛３の視認長さは、個別に変更可能としても、また、全体として変更可能としても良い。目盛３を全体として変更可能とする場合には、全部を同時に変更し得るようにしても、また、ブロックごとなどに変更し得るようにしても、或いは、所定のパターンを有して変更し得るようにしても良い。
【００２０】
そのために、目盛３には、従来の印刷によるもの（印刷目盛）に変えて、物質的な目盛部品３１（可変目盛）を用いる。そして、この目盛部品３１による視認長さの変更には、例えば、目盛部品３１の角度の変更や、突出量の変更などを利用する。
【００２１】
角度の変更を利用する場合、例えば、周壁１３および立壁２８における目盛３を設ける位置に所要の切欠き或いはスリット３２，３３を形成する。このスリット３３の位置に文字板１１の接線方向へ延びる支軸３４を取付ける。そして、この支軸３４に目盛部品３１の基部近傍を、文字板１１の半径方向（指針軸１６が貫通する軸孔方向）へ向けて回動可能に軸支する。この際、目盛部品３１は、指針軸１６とほぼ平行な退避位置から、目盛部品３１の先端部が指針軸１６の所要の位置を指向する突出位置までの範囲で揺動可能となるように構成する。
【００２２】
更に、必要に応じて、支軸３４を中心とする目盛部品３１の揺動スペース３５を確保するため、文字板１１の縁部に指針退避部３６を形成する。この場合、指針退避部３６は、全周が回路基板１５側へ向けて屈曲する円錐テーパ面とされている。なお、この指針退避部３６は、文字板１１を立体的なものに見せる装飾的効果をも有している。
【００２３】
また、目盛部品３１の基部から、上記間隙２０へ向けて操作部３７を突設する。この場合、目盛部品３１と操作部３７とは所要の角度を有することにより側面視ほぼＬ字状を呈している。
【００２４】
そして、上記間隙２０を利用して操作部３７を操作可能な目盛長可変機構３８を設ける。この目盛長可変機構３８は、上記間隙２０内を移動して操作部３７を指針軸１６とほぼ平行な方向へ押し引き可能な可動駒３９と、この可動駒３９を可動させる図示しない駒可動機構とを備える。なお、必要に応じて、目盛部品３１と立壁２８との間には、目盛部品３１を退避位置へ向けて付勢する図示しないねじりバネなどの付勢手段を介装する。この付勢手段は、例えば、ねじりバネのコイル部分を支軸３４に外嵌し、両端部をそれぞれ目盛部品３１と立壁２８とに係止させることによりセットする。また、駒可動機構としては、シリンダ機構やカム機構やリンク機構などを用いることができる。
【００２５】
なお、上記したように、目盛３を全部を同時に変更し得るようにする場合には、可動駒３９をリング状とし、このリング状の可動駒３９に共通の駒可動機構を取付けるようにする。また、目盛３を個別に変更可能とする場合や、ブロックごとに変更し得るようにする場合、或いは、所定のパターンを有して変更し得るようにする場合には、可動駒３９を所要数に分割し、それぞれに対して駒可動機構を設けるようにする。この実施例では、目盛３を全部を同時に変更し得るものとしている。
【００２６】
なお、他の実施例として、図６、図７に示すように、文字板１１にグラフィックディスプレイを用いることにより、指針４や数値表示部５などを映像で表示させるようにしたものに対し、上記したように、目盛部品３１を用いて、目盛３を可変に構成するようにしても良い。
【００２７】
次に、この実施例の作用について説明する。
【００２８】
例えば、図１、図２の実指針（指針４）を有する車両用計器装置１の場合、ムーブメント１７を駆動することにより、指針軸１６を介して指針４が、指針移動領域２（指針回動領域）に沿って移動（回動）され、目盛３を現示するので、目盛３に対応する数値表示部５を読むことなどにより、情報が視認される。
【００２９】
また、図６、図７の映像指針（指針４）を有する車両用計器装置１の場合、文字板１１に用いられたグラフィックディスプレイに表示される指針４や数値表示部５の映像を読むことなどにより、情報が視認される。
【００３０】
そして、例えば、車両用計器装置１が、車速度計である場合、図２に示す目盛長可変機構３８の図示しない駒可動機構を用いて可動駒３９を手前側へ移動させる（押出させる）ことにより、操作部３７を介して、目盛部品３１が支軸３４を中心に周壁１３側へ回動し、図３に示すように、目盛３が退避位置となる。これにより、目盛３の正面からの視認長さが短くなる。
【００３１】
反対に、図２に示す目盛長可変機構３８の図示しない駒可動機構を用いて可動駒３９を奥側へ移動させる（引込ませる）ことにより、操作部３７および図示しない付勢手段を介して、目盛部品３１が支軸３４を中心に周壁１３から離れる側へ回動し、図４に示すような中間突出位置を経て、図５に示すように、目盛３が突出位置となる。これにより、目盛３の正面からの視認長さが長くなる。
【００３２】
この目盛３の視認長さは、個別に変更可能とすることも、また、全体として変更可能とすることもできる。目盛３を全体として変更可能とする場合には、全部を同時に変更し得るようにすることや、ブロックごとなどに変更し得るようにすることや、所定のパターンを有して変更し得るようにすることができる。なお、この実施例の場合には、目盛３の正面からの視認長さは一斉に変化されるようにしている。
【００３３】
こうして、目盛３の正面からの視認長さが変わると、車両用計器装置１の印象を変えることができ、これにより、注意力を喚起することができる。そこで、目盛３の動きに付加情報を載せることが可能となる。例えば、車両用計器装置１が車速度である場合には、目盛３の視認長さの変化を、速度が出過ぎた場合の速度注意情報として利用することなどができる。
【００３４】
また、目盛部品３１の角度の変更を利用して目盛３の正面からの視認長さを変更するようにした場合には、表示に立体感を出すことができる。これにより、車両用計器装置１の印象を一層大きく変えて、注意力喚起機能を高めることができる。
【００３５】
このように、この実施例によれば、目盛３を可変に構成することにより、目盛３の表示に変化を与えることができる。そして、この目盛３の表示の変化を利用して様々な情報を発信することも可能となる。
【００３６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３７】
【図１】本発明の実施例にかかる車両用計器装置の正面図である。
【図２】図１のI一I断面図である。
【図３】目盛を退避位置とした場合の作動図である。
【図４】目盛を中間突出位置とした場合の作動図である。
【図５】目盛を突出位置とした場合の作動図である。
【図６】他の実施例にかかる車両用計器装置の側方断面図である。
【図７】図６の正面図である。
【符号の説明】
【００３８】
１    車両用計器装置
２    指針移動領域
３    目盛
４    指針
【図１】
2007198957.tif 000003
【図２】
2007198957.tif 000004
【図３】
2007198957.tif 000005
【図４】
2007198957.tif 000006
【図５】
2007198957.tif 000007
【図６】
2007198957.tif 000008
【図７】
2007198957.tif 000009